(57)【要約】      （修正有）【課題】表示部に表示された画像オブジェクトを用いたパラメータの値の調整を安全に行う。【解決手段】設定装置１０は、複数のパラメータ画像を含む画像オブジェクの表示された表示部１１と、該画像オブジェクトに対する操作を検出する検出部１２を備える。第１表示制御部１３は、パラメータ画像を選択する第１操作の検出に応じて、パラメータの値の調整開始を指示するための調整開始画像を表示部１１に表示する。第２表示制御部１４は、該調整開始画像に対する第２操作が検出されたとき、パラメータの値を調整するための値調整用画像を表示部１１に表示する。値調整部１５は、値調整用画像に対する第３操作が検出されたとき、選択されたパラメータ画像に対応するパラメータの値を調整する。【選択図】図１
2018098732.tif 000002
【特許請求の範囲】
【請求項１】
画像オブジェクトを表示する表示部であって、前記画像オブジェクトは、それぞれパラメータに対応付けられた複数のパラメータ画像を含むものと、
前記表示部に表示された画像オブジェクトに対する操作を検出する検出部と、
前記検出部により、前記複数のパラメータ画像のうち何れか１つを選択する第１操作が検出されたとき、該選択されたパラメータ画像に対応するパラメータの値の調整開始を指示するための調整開始画像を、前記表示部に表示する第１表示制御部と、
前記検出部により、前記表示された調整開始画像に対する第２操作が検出されたとき、前記選択されたパラメータ画像に対応するパラメータの値を調整するための値調整用画像を前記表示部に表示する第２表示制御部と、
前記検出部により、前記表示された値調整用画像に対する第３操作が検出されたとき、前記選択されたパラメータ画像に対応するパラメータの値を調整する値調整部
を備える設定装置。
【請求項２】
前記表示部は、接触により操作入力が可能なタッチパネルからなり、
前記検出部は、前記タッチパネルへの接触を検出する
請求項１に記載の設定装置。
【請求項３】
前記第１操作は、何れか１つの前記パラメータ画像を接触することであり、
前記第２操作は、前記調整開始画像を接触することである請求項２に記載の設定装置。
【請求項４】
前記第２操作は、前記パラメータ画像への前記接触を前記調整開始画像まで移動することにより、該調整開始画像を接触することである請求項３に記載の設定装置。
【請求項５】
前記第３操作は、前記値調整用画像に接触して、その接触点を移動することであり、
前記値調整部は、前記第３操作の移動距離に応じて、前記パラメータの値を調整する請求項２乃至４の何れかに記載の設定装置。
【請求項６】
前記値調整用画像は、前記選択されたパラメータ画像に対応するパラメータの現在値を示す画像オブジェクトを含み、
前記第３操作は、前記現在値を示す画像オブジェクトに対する操作である請求項１乃至５の何れかに記載の設定装置。
【請求項７】
前記値調整用画像は、前記パラメータの値を段階的に変更するボタン画像を更に含み、
前記値調整部は、更に、前記ボタン画像への前記第３操作に応じて、前記パラメータの値を段階的に増加又は減少する請求項１乃至６の何れかに記載の設定装置。
【請求項８】
前記第１表示制御部は、前記選択されたパラメータ画像の近傍に、前記調整開始画像を、表示する請求項１乃至７の何れかに記載の設定装置。
【請求項９】
前記調整開始画像は、編集作業を表す絵柄のボタン画像からなる請求項１乃至８の何れかに記載の設定装置。
【請求項１０】
前記調整開始画像は、パラメータの値の調整用の操作子を模擬した絵柄のボタン画像からなる請求項１乃至８の何れかに記載の設定装置。
【請求項１１】
表示部に表示されたパラメータ画像を用いてパラメータの値を調整する方法であって、
前記表示部に表示された複数の前記パラメータ画像のうち何れか１つを選択する第１操作を検出する第１検出手順と、
前記検出された第１操作に応じて、前記選択されたパラメータ画像に対応するパラメータの値の調整開始を指示するための調整開始画像を、前記表示部に表示する第１表示手順と、
前記表示された調整開始画像に対する第２操作を検出する第２検出手順と、
前記検出された第２操作に応じて、前記選択されたパラメータ画像に対応するパラメータの値を調整するための値調整用画像を前記表示部に表示する第２表示手順と、
前記表示された値調整用画像に対する第３操作を検出する第３検出手順と、
前記検出された第３操作に応じて、前記選択されたパラメータ画像に対応するパラメータの値を調整する値調整手順
からなる方法。
【発明の詳細な説明】
【技術分野】
【０００１】
この発明は、例えばオーディオミキサなどに用いて好適なパラメータの値の設定装置及び方法に関する。
【０００２】
オーディオミキサ（以下単に「ミキサ」とも言う）は、大略、各チャンネルにおいて、入力された音信号の音特性調整処理を行い、処理後の音信号をバスに選択的に出力し、各バスにおいて、１又は複数のチャンネルから供給された音信号を混合して、混合結果を出力先に出力するように構成される。デジタルミキサは、専ら、デジタル音信号に対するデジタル信号処理により、チャンネル毎の音特性処理や音信号の経路設定処理などの各種信号処理を行う。ミキサのメモリには、それら信号処理に用いる全てのパラメータの値が記憶される。
【０００３】
操作者の手指等を画面に接触させることによる入力が可能なタッチパネルを用いて、ミキサのパラメータの値を調整することが知られる。本明細書では、タッチパネルへの接触による入力操作を「タッチ」という。
【０００４】
例えば、下記特許文献１は、オーディオミキサのタッチパネルに、それぞれミキサの信号処理用のパラメータを表す複数の画像を表示し、何れか１つの画像へのタッチに応じて、操作子画像を含むポップアップ画面を表示し、該ポップアップ画面内の操作子画像を用いて、タッチされた画像に対応するパラメータの値を調整することを記載している。
【０００５】
しかし、上記の従来の技術では、画像へのタッチが行われると、直ちに値調整用のポップアップ画面が表示されるので、意図しない値調整等の誤操作を招きやすい、という不都合があった。ミキサのパラメータの値を調整する画面は、多数のパラメータを表す画像が密接して表示されていることが多く、意図したパラメータとは別のパラメータの画像をタッチしてしまう場合がある。ミキサにおいて、意図しない値調整等の誤操作は、音信号の処理に影響を与えるので、音切れ、過大音量等の事故につながる。従って、値の調整操作は、できるだけ事故を防ぐように安全に行われることが望ましい。
【先行技術文献】
【特許文献】
【０００６】
【特許文献１】特開平１１‐２８２５９７号公報
【発明の概要】
【発明が解決しようとする課題】
【０００７】
この発明は、上述の点に鑑みてなされたもので、表示部に表示された画像オブジェクトを用いたパラメータの値の調整を安全にできるようにした設定装置及び方法を提供することを目的とする。
【課題を解決するための手段】
【０００８】
この発明は、画像オブジェクトを表示する表示部であって、前記画像オブジェクトは、それぞれパラメータに対応付けられた複数のパラメータ画像を含むものと、前記表示部に表示された画像オブジェクトに対する操作を検出する検出部と、前記検出部により、前記複数のパラメータ画像のうち何れか１つを選択する第１操作が検出されたとき、該選択されたパラメータ画像に対応するパラメータの値の調整開始を指示するための調整開始画像を、前記表示部に表示する第１表示制御部と、前記検出部により、前記表示された調整開始画像に対する第２操作が検出されたとき、前記選択されたパラメータ画像に対応するパラメータの値を調整するための値調整用画像を前記表示部に表示する第２表示制御部と、前記検出部により、前記表示された値調整用画像に対する第３操作が検出されたとき、前記選択されたパラメータ画像に対応するパラメータの値を調整する値調整部を備える設定装置である。
【０００９】
この発明によれば、表示部にて１つのパラメータ画像を選択する第１操作に応じて、まず、調整開始画像が表示され、調整開始画像に対する第２操作に応じて、値調整用画像が表示され、その調整用画像に対する第３操作により、パラメータの値が調整される。すなわち、パラメータ画像の選択に応じて直ちに値の調整を受け付ける状態になるのではなく、操作者が、調整開始画像に対する第２操作により、パラメータの値の調整を行う意思を明確に示した後に、値の調整を受け付ける状態になる。従って、意図しない値調整等の誤操作を防ぎ、パラメータの値の調整を安全に行うことができる。
【００１０】
また、この発明は、装置の発明として構成及び実施し得るのみならず、前記設定装置を構成する各構成要素に対応するステップを備える方法の発明として実施及び構成されてよい。
【発明の効果】
【００１１】
この発明によれば、表示部に表示された画像オブジェクトを用いたパラメータの値の調整を安全に行うことができる。
【図面の簡単な説明】
【００１２】
【図１】この発明に係る設定装置の構成例を示す概念的ブロック図。
【図２】図１の設定装置を適用したオーディオミキサの電気的ハードウェア構成例を示すブロック図。
【図３】図２のオーディオミキサの信号処理構成例を説明するブロック図。
【図４】図２のオーディオミキサの操作パネル構成例を説明する図。
【図５】タッチパネルに表示される画面の一例を説明する図。
【図６】タッチ操作に応じた処理例を示すフローチャート。
【図７】調整開始画像の一例を示す図。
【図８】値調整用画像の一例を示す図。
【図９】値調整処理例を示すフローチャート。
【図１０】値調整用画像の別の例を示す図。
【図１１】値調整用画像の更に別の例を示す図。
【発明を実施するための形態】
【００１３】
以下、添付図面を参照して、この発明の一実施形態について詳細に説明する。
【００１４】
図１は、この発明に係る設定装置の構成例を説明する概念的ブロック図を示す。図１において、設定装置１０は、画像オブジェクトを表示する表示部１１であって、前記画像オブジェクトは、それぞれパラメータに対応付けられた複数のパラメータ画像を含むものと、前記表示部１１に表示された画像オブジェクトに対する操作を検出する検出部１２と、前記検出部１２により、前記複数のパラメータ画像のうち何れか１つを選択する第１操作が検出されたとき、該選択されたパラメータ画像に対応するパラメータの値の調整開始を指示するための調整開始画像を、前記表示部１１に表示する第１表示制御部１３と、前記検出部１２により、前記表示された調整開始画像に対する第２操作が検出されたとき、前記選択されたパラメータ画像に対応するパラメータの値を調整するための値調整用画像を前記表示部１１に表示する第２表示制御部１４と、前記検出部１２により、前記表示された値調整用画像に対する第３操作が検出されたとき、前記選択されたパラメータ画像に対応するパラメータの値を調整する値調整部１５を備える。
【００１５】
図１の設定装置１０は、例えば、オーディオミキサ等の音信号を扱う音響機器に適用され得る。以下の一実施形態は、一例として、設定装置１０をオーディオミキサ（以下単に「ミキサ」とも言う）に適用した例について説明する。ミキサ２０は、専らデジタル信号処理により音信号を処理するデジタルミキサとする。
【００１６】
図２は、ミキサ２０の電気的ハードウェア構成例を示すブロック図を示す。図２において、ミキサ２０は、ＣＰＵ（Central Processing Unit、中央処理装置）２１、メモリ２２、タッチパネル２３、操作子群２４、及び、ミキシング部（図において「ＭＩＸ」）２５を含み、各部２１〜２５がバス２６を介して接続される。
【００１７】
ＣＰＵ２１は、メモリ２２に記憶された各種のプログラムを実行して、ミキサ２０を制御する。メモリ２２は、ＣＰＵ２１が実行する各種のプログラムや各種のデータなどを不揮発に格納するほか、ＣＰＵ２１が実行するプログラムのロード領域やワーク領域に使用される。メモリ２２は、リードオンリーメモリ、ランダムアクセスメモリ、フラッシュメモリあるいはハードディスク等の各種メモリ装置を適宜組み合わせて構成されてよい。また、メモリ２２は、後述するミキシング部２５による信号処理に用いる全てのパラメータの値を記憶する。
【００１８】
タッチパネル２３は、ＣＰＵ２１の制御に基づき各種表示を行う表示機構と、操作者の指等による画面への接触を検出する検出機構とを含む。表示機構は、具体的には、液晶パネルなどであり、ＬＣＤや有機ＥＬなどを含む。検出機構は、接触位置を検出し、検出された位置に対応する検出信号をＣＰＵ２１へ出力する。検出機構は、一例として、画面に対する２点以上の接触（マルチタッチ）を個別に検出及び認識できるよう構成されてよい。この明細書では、タッチパネル２３への接触による入力操作を「タッチ」という。タッチパネル２３が、図１の表示部１１及び検出部１２を構成する。
【００１９】
操作子群２４は、ミキサ２０の操作パネル上に配置された複数の操作子および関連するインターフェース回路等である。
【００２０】
ミキシング部２５は、例えばＤＳＰ（Digital Signal Processor）や、ＣＰＵ２１およびメモリ２２に記憶されたソフトウェアにより仮想的に実現された信号処理装置で構成される。ミキシング部２５は、信号処理用のプログラムを実行することにより、図示しない入力機器から供給された１又は複数の音信号を処理して、該処理した音信号を、図示しない出力機器へ出力する。
【００２１】
図３は、ミキシング部２５による信号処理の構成例を示すブロック図を示す。ミキサ２０は、図３に示す通り、複数のチャンネル３０と、複数のバス４０を有する。各チャンネル３０は、入力された音信号に対して音量調整を含む各種信号処理を施し、処理された音信号を操作者により選択された１又は複数のバス４０に供給する。各バス４０は、１又は複数チャンネル３０から供給された音信号を混合して、混合された音信号を、対応する出力チャンネル（不図示）を介して、出力する。ミキシング部２５による信号処理は、メモリ２２に記憶された各種のパラメータの値に基づいて制御される。
【００２２】
図４は、ミキサ２０の操作パネルの構成例を示す。操作パネルは、複数のチャンネルストリップ５０とタッチパネル２３とを備える。複数のチャンネルストリップ５０は、操作パネルにおいて、横方向に並設されている。タッチパネル２３は、複数のチャンネルストリップ５０に対して縦に並べて配置される。なお、明細書において、上下方向は、操作パネルの手前側（操作者の位置）から見た奥行き方向、すなわち、図４における上下方向を表す。
【００２３】
１つのチャンネルストリップ５０は、音量調整用のフェーダ操作子５１、任意のパラメータを割当可能な回転式のノブ操作子５２、ＣＵＥオン／オフを切り替えるＣＵＥキー５３、当該チャンネルのオン／オフを制御するオンオフキー５４、及び、当該チャンネルを選択する選択キー５５を有する。各チャンネルストリップ５０は、同様に構成される。各チャンネルストリップ５０には、それぞれ操作対象として１つのチャンネル３０が割り当てられる。操作者は、各チャンネルストリップ５０に備わる各種操作子を用いて、該割り当てられたチャンネル３０の音量等の各種パラメータの値を調整できる。各チャンネルストリップ５０の各種操作子類５１〜５５は、図２の操作子群２４に含まれる。
【００２４】
図５は、タッチパネル２３に表示される画面の一例として、チャンネルオーバービュー画面を示す。図５のチャンネルオーバービュー画面は、横方向に並設された８つチャンネル領域６０ａ、６０ｂ・・・を有する。各チャンネル領域６０ａ、６０ｂ・・・には、それぞれ１つのチャンネル（図において左から順に、「ＣＨ１」、「ＣＨ２」、「ＣＨ３」・・・）が割り当てられている。各チャンネル領域６０ａ、６０ｂ・・・は、割り当てられたチャンネルの主要なパラメータに対応するパラメータ画像や、チャンネル番号の表示など、様々な画像オブジェクトを含む。
【００２５】
一例として、各チャンネル領域６０ａ、６０ｂ・・・には、ゲイン、イコライザ、バスセンドレベル、及び、パンを示すパラメータ画像６１〜６４が表示されている。図５の例では、ゲインのパラメータ画像６１は現在値を示す数値画像であり、イコライザのパラメータ画像６２はイコライザ特性を示すグラフ画像であり、また、バスセンドレベルのパラメータ画像６３とパンのパラメータ画像６４は操作子を模擬したノブ画像である。バスセンドレベルのパラメータ画像６３は、複数のバスそれぞれに対応して複数設けられているが、図５では便宜上１つのパラメータ画像６３にのみ符号を付与した。これらパラメータ画像６１〜６４は、それぞれ対応付けられたパラメータを選択するために用いる画像オブジェクトである。
【００２６】
操作者は、タッチパネル２３において、チャンネルオーバービュー画面内の所望のパラメータ画像を選択し、選択したパラメータ画像に対応するパラメータの値を調整することができる。この実施例に係るミキサ２０は、タッチパネル２３へのタッチによりパラメータの値を調整するための構成（図１の第１表示制御部１３、第２表示制御部１４の動作）に特徴がある。
【００２７】
図６は、タッチパネル２３へのタッチに応じた処理例のフローチャートを示す。タッチパネル２３へのタッチが検出されたとき、ＣＰＵ２１は、図６の処理を開始する。ステップＳ１において、ＣＰＵ２１は、タッチパネル２３へのタッチが第１操作かどうか判断する。第１操作は、タッチパネル２３において、何れかのチャンネル領域６０ａ、６０ｂ・・・の何れか１つのパラメータ画像６１、６２、６３又は６４をタッチすることである。ＣＰＵ２１は、タッチの位置に基づいて、そのタッチがパラメータ画像へのタッチか否かを判断できる。パラメータ画像へのタッチは、一例として、パラメータ画像の近傍へのタッチを含んでいてよい。この実施例では、一例として、タッチパネル２３上にて何れか１つパラメータ画像のみが排他的に選択される。従って、既に或るパラメータ画像の選択中に、別のパラメータ画像へのタッチが検出された場合、ＣＰＵ２１は、そのタッチを第１操作とは判断しない。
【００２８】
タッチパネル２３へのタッチが第１操作の場合（ステップＳ１のＹｅｓ）、ＣＰＵ２１は、ステップＳ２において、タッチされた位置に対応付けられたパラメータを特定する。これにより、タッチにより選択されたパラメータが特定される。例えば、図５において、ＣＨ１の領域６０ａ内のゲインのパラメータ画像６１がタッチされた場合、ＣＨ１のゲインが、選択されたパラメータとして特定される。そして、ステップＳ３において、ＣＰＵ２１は、選択されたパラメータの「Ｅｄｉｔボタン」を、タッチパネル２３に表示する。Ｅｄｉｔボタンは、選択されたパラメータ画像に対応するパラメータの値の調整開始を指示するための画像オブジェクト、すなわち、調整開始指示画像である。ＣＰＵ２１による前記ステップＳ１〜Ｓ３の処理が、複数のパラメータ画像のうち何れか１つを選択する第１操作が検出されたとき、該選択されたパラメータ画像に対応するパラメータの値の調整開始を指示するための調整開始画像を、表示部１１に表示する第１表示制御部１３の動作である。
【００２９】
図７は、図５のチャンネルオーバービュー画面のうち、選択されたＣＨ１のゲインのパラメータ画像６１の部分を拡大した図であって、Ｅｄｉｔボタン７０が表示された状態を示す。図７に例示するＥｄｉｔボタン７０は、チャンネルオーバービュー画面内において、選択されたパラメータ画像６１の近傍（図の例では右上近傍）に表示される。
【００３０】
一例において、Ｅｄｉｔボタン７０は、値調整用画像の表示を指示する機能のみを有していればよく、それ以外の機能、例えばパラメータの識別情報（現在値や名称等）を表示する機能やパラメータの値調整機能等を持たなくてよい。Ｅｄｉｔボタン７０は、例えば、「編集作業」を表する絵柄（図７の例では、ペンを表す絵柄）のボタン画像からなる。これにより、Ｅｄｉｔボタン７０の用途が、視覚的にわかり易く表現される。また、Ｅｄｉｔボタン７０の表示サイズは、指先によるタッチ（「第２操作」）を適切に行える適宜のサイズに設定されてよい。Ｅｄｉｔボタン７０は、単に値調整開始指示ボタンとして機能すればよいので、大きいサイズである必要はない。
【００３１】
一例として、Ｅｄｉｔボタン７０は、チャンネルオーバービュー画面内の他の画像オブジェクトの上に重ねて表示されてよい。すなわち、前記ステップＳ３において、ＣＰＵ２１は、タッチパネル２３のチャンネルオーバービュー画面を消さずに、該チャンネルオーバービュー画面の最前面に、Ｅｄｉｔボタン７０を表示する。図７のＥｄｉｔボタン７０は、ＣＨ１のゲインに関するＥｄｉｔボタン７０ではあるが、ＣＨ１のチャンネル領域６０ａ内に表示される必要は無く、例えばＣＨ１に隣接するＣＨ２の領域６０ｂの上に重なって表示されてよい。なお、図７では、便宜上、背景に退いたチャンネルオーバービュー画面の図示を省略した。
【００３２】
操作者は、前記表示されたＥｄｉｔボタン７０に対するタッチを行うことで、選択されたパラメータ画像に対応するパラメータの値を調整するための値調整用画像の表示を指示できる。
【００３３】
タッチパネル２３へのタッチが、Ｅｄｉｔボタン７０へのタッチである場合、ＣＰＵ２１は、そのタッチを「第２操作」と判断する（ステップＳ１のＮｏ、ステップＳ４のＹｅｓ）。ＣＰＵ２１は、タッチの位置に基づいて、そのタッチがＥｄｉｔボタン７０へのタッチか否かを判断できる。そして、ステップＳ５において、ＣＰＵ２１は、選択されたパラメータの値を調整するための値調整用画像を、タッチパネル２３に表示する。なお、Ｅｄｉｔボタン７０へのタッチとは、Ｅｄｉｔボタン７０に接触すること、及び、Ｅｄｉｔボタン７０の近傍に接触することを含む。また、値調整用画像の表示に伴い、ＣＰＵ２１は、対応するＥｄｉｔボタン７０の表示を終了してよい。ＣＰＵ２１による前記ステップＳ４及びＳ５の処理が、調整開始画像に対する第２操作が検出されたとき、前記選択されたパラメータ画像に対応するパラメータの値を調整するための値調整用画像を前記表示部１１に表示する第２表示制御部１４の動作である。
【００３４】
前記第２操作のやり方は、一例として、パラメータ画像６１上又はその近傍に接触した指（第１操作の接触点）を、タッチパネル２３から離さずに、右斜め上方向のＥｄｉｔボタン７０まで移動させることにより、該Ｅｄｉｔボタン７０をタッチする操作である。なお、この明細書では、タッチパネル２３へのタッチを画面上で移動すること（すなわち、接触点を移動すること）を、「スライド」という。
【００３５】
別の例として、第２操作のやり方は、パラメータ画像６１上（又はその近傍）へのタッチをタッチパネル２３の画面から離し、新たにＥｄｉｔボタン７０をタッチすること、或いは、パラメータ画像６１上（又はその近傍）へのタッチを維持したまま、別の指でＥｄｉｔボタン７０をタッチすること、である。
【００３６】
図８は、一例として、ＣＨ１のゲインのパラメータ画像６１に対応する値調整用画像８０を示す。図８の値調整用画像８０は、一例として、タッチパネル２３の上下方向にスライド操作可能なつまみ画像８１を有する操作子画像からなる。この値調整用画像８０において、つまみ画像８１は、その上下方向の位置により選択されたパラメータ（ＣＨ１のゲイン）の現在の値を示す画像オブジェクトである。つまみ画像８１を上下方向に移動することにより、選択されたパラメータ（ＣＨ１のゲイン）の値が変更される。
【００３７】
一例として、値調整用画像８０は、選択されたパラメータ画像６１の近傍（図の例では右隣）に、チャンネルオーバービュー画面内の他の画像オブジェクトの上に重ねて、表示される。すなわち、前記ステップＳ５において、ＣＰＵ２１は、タッチパネル２３のチャンネルオーバービュー画面を消さずに、該チャンネルオーバービュー画面の最前面に、値調整用画像８０を表示する。図８の値調整用画像８０は、ＣＨ１のゲインに関する値調整用画像８０ではあるが、ＣＨ１のチャンネル領域６０ａ内に表示する必要は無く、例えばＣＨ１に隣接するＣＨ２の領域６０ｂの上に重なって表示されてよい。値調整用画像８０は、タッチパネル２３を広く使って、大きいサイズで、表示され得る。このため、値調整用画像８０へのタッチによる値調整作業を、より快適に行うことが可能となる。なお、図８では、便宜上、背景に退いたチャンネルオーバービュー画面の図示を省略した。
【００３８】
操作者は、値調整用画像８０に対するタッチにより、選択されたパラメータの値を調整できる。タッチパネル２３へのタッチが、値調整用画像８０に対するタッチである場合、ＣＰＵ２１は、そのタッチを「第３操作」と判断する（ステップＳ１のＮｏ、ステップＳ４のＮｏ、ステップＳ６のＹｅｓ）。ＣＰＵ２１は、タッチの位置に基づいて、そのタッチが値調整用画像８０に対するタッチか否かを判断できる。
【００３９】
前記第３操作は、一例として、値調整用画像８０のつまみ画像８１に対するタッチから始まるスライド操作である。つまみ画像８１に対するタッチは１本の指での接触でもよいし、或いは、２本以上の指でつまみ画像８１を掴む（はさむ）動作であってもよい。操作者は、先ず、値調整用画像８０のつまみ画像８１にタッチし、そのタッチを上又は下方向に移動（スライド）する。この場合、つまみ画像８１へのタッチという、明示的なアクションを経て値調整を開始することができる。これにより、より安全にパラメータの値調整を行うことができる。
【００４０】
ステップＳ７において、ＣＰＵ２１は、第３操作に応じた値調整処理を行う。図９は、値調整処理例のフローチャートを示す。ステップＳ１０において、ＣＰＵ２１は、第３操作の操作量、具体的には、スライド操作の移動距離に応じて、選択されたパラメータの値を変更する。これにより、メモリ２２に記憶された当該パラメータの値は、スライド操作の移動距離に応じて増加又は減少する。そして、このパラメータの値の変更は、ミキシング部２５の信号処理に反映される。ステップＳ１１において、ＣＰＵ２１は、変更後のパラメータの値をタッチパネル２３に表示する。この処理は、例えば、当該選択されたゲイン画像の数値や、値調整用画像８０のつまみ画像８１の位置を変更後のパラメータの値に応じて更新することを含む。ＣＰＵ２１により前記ステップＳ７及びＳ１０の処理が、値調整用画像に対する第３操作が検出されたとき、前記選択されたパラメータ画像に対応するパラメータの値を調整する値調整部１５の動作である。
【００４１】
図６に戻ると、タッチパネル２３へのタッチが第１操作、第２操作又は第３操作の何れでもない場合（ステップＳ１のＮｏ、ステップＳ４のＮｏ、ステップＳ６のＮｏ）、ＣＰＵ２１は、ステップＳ８において、そのタッチに応じた処理（「その他の処理」）を行う。
【００４２】
前記ステップＳ８のその他の処理は、Ｅｄｉｔボタン７０、及び、値調整用画像８０の表示終了（すなわち、パラメータの選択解除）を含む。例えば、Ｅｄｉｔボタン７０の表示中に、そのＥｄｉｔボタン７０以外の部分へのタッチ（すなわち、第２操作以外のタッチ）が行われたとき、或いは、値調整用画像８０の表示中に、つまみ画像８１以外の部分へのタッチ（すなわち、第３操作以外のタッチ）が行われたとき、ＣＰＵ２１は、前記ステップＳ８において、そのＥｄｉｔボタン７０、又は、その値調整用画像８０の表示を終了する。これに伴い、ＣＰＵ２１は、パラメータの選択も解除する。変形例として、或るパラメータの選択中、すなわちＥｄｉｔボタン７０又は値調整用画像８０の表示中に、別のパラメータ画像がタッチされたとき、ＣＰＵ２１は、前記ステップＳ８によりＥｄｉｔボタン７０又は値調整用画像８０の表示終了（パラメータの選択解除）し、その後、前記ステップＳ１〜Ｓ３により、タッチされた別のパラメータ画像に対応するＥｄｉｔボタン７０を表示してもよい。
【００４３】
このように、この実施例に係るミキサ２０によれば、タッチパネル２３において１つのパラメータ画像を選択するタッチ（第１操作）に応じて、直ちに値の調整を受け付ける状態になるのではなく、先ずはＥｄｉｔボタン７０を表示し、該Ｅｄｉｔボタン７０に対するタッチ（第２操作）によってパラメータの値の調整を行う意思を明確に示した後に、値調整用画像８０が表示される、すなわち、値の調整を受け付ける状態になる。従って、タッチパネル２３に表示されたパラメータ画像を用いたパラメータの値調整において、意図しない値調整等の誤操作を防ぎ、パラメータの値の調整を安全に行うことができる。また、選択されたパラメータ画像の近傍に表示されたＥｄｉｔボタン７０をタッチするだけで、値調整用画像８０を起動できるので、パラメータの値の調整を安全に行う構成でありながらも、意思確認のための操作の煩わしさが少なく、快適にパラメータの値の調整を行うことができる。このことは、１画面内で多数のチャンネルの多数のパラメータの値を表示及び調整するミキサ２０のパラメータ値調整において、特に有益である。
【００４４】
図１０は、別の実施形態に係る値調整用画像８０を示す。図１０に示す値調整用画像８０は、インクリメントボタン８２とデクリメントボタン８３を更に備える。この場合、インクリメントボタン８２又はデクリメントボタン８３へのタッチが行われた場合、ＣＰＵ２１は、そのタッチを第３操作と判断する（ステップＳ１のＮｏ、ステップＳ４のＮｏ、ステップＳ６のＹｅｓ）。そして、インクリメントボタン８２又はデクリメントボタン８３へのタッチ毎に、ＣＰＵ２１は、ステップＳ７の値調整処理を行う。すなわち、インクリメントボタン８２又はデクリメントボタン８３が１回タッチされる毎に、ＣＰＵ２１は、対応するパラメータの値を１段階ずつ増加又は減少する（ステップＳ１０）。例えば、パラメータの値が「−６４」〜「＋６４」の１２８段階の整数の値をとる場合、ＣＰＵ２１はボタン８２又は８３の１回のタッチ毎に、値を「１」増加又は減少する。前記図８のように、値調整用画像８０へのスライド操作だけでは、値の微調整を行い難く、意図通りの値に調整する作業に手間取る場合もあり得る。そこで、図１０のように、インクリメントボタン８２及びデクリメントボタン８３を備えることで、値の微調整が行い易くなる。
【００４５】
図１１は、更に別の実施形態に係る値調整用画像８０を示す。図１１の値調整用画像８０は、値を多段階的（或いは、連続的に）に増加又は減少する「早送り」ボタン８４と「巻き戻し」ボタン８５を更に備える。この場合、「早送り」ボタン８４又は「巻き戻し」ボタン８５へのタッチに応じて（ステップＳ１のＮｏ、ステップＳ４のＮｏ、ステップＳ６のＹｅｓ）、ＣＰＵ２１は、ステップＳ７の値調整処理を行う。具体的には、「早送り」ボタン８４又は「巻き戻し」ボタン８５への１回のタッチ毎に、ＣＰＵ２１は、対応するパラメータの値を所定の複数段階ずつ増加又は減少する（ステップＳ１０）。例えば、パラメータの値が「−６４」〜「＋６４」の１２８段階の整数の値をとる場合、ＣＰＵ２１はボタン８４又は８５の１回のタッチ毎に、値を所定段階ずつ（例えば１０ずつ）増加又は減少する。
【００４６】
また、別の実施形態に係る前記ステップＳ７の値調整処理において、第３操作の操作量に対するパラメータの値の変更量の変化特性は非線形的であってもよい。例えば、スライド操作の移動距離に対するパラメータの値の変更量の変化特性が対数的な特性であってもよい、すなわち、スライド操作の移動距離が長くなるほど、距離に対する値の変更量が大きくなってよい。また、別の例として、第３操作の速度に応じて、パラメータの値が変更されてもよい。例えば、スライド操作の速度が速いほど、スライド操作の移動距離に対する値の変更量が大きくなり、スライド操作の速度が遅いほど、スライド操作の移動距離に対する値の変更量が小さくなるようにしてよい。
【００４７】
また、別の実施形態において、前記ステップＳ６で判定される「第３操作」は、つまみ画像８１へのタッチの上下スライド操作に限らず、値調整用画像８０内の何れの部分へのタッチをスライド操作するものであってもよい。また、スライド操作の方向は、上下方向に限らず、左右、斜めなどどのような方向でもよいし、上下方向及び左右方向の組み合わせなど、２以上の方向を組み合わせてもよい。また、更に別の実施形態において、前記「第３操作」は、値調整用画像８０内へのタッチに限らず、値調整用画像８０の表示中に行われた、タッチパネル２３へのタッチのスライド操作であってよい。
【００４８】
また、別の実施形態において、値調整用画像８０は、例えば回転操作可能なノブ画像を有する操作子画像など、どんな種類の操作子画像を有する画像オブジェクトであってもよい。更に別の実施形態において、値調整用画像８０は、第２操作に応じた値の調整を受け付ける画像オブジェクトでさえあれば、例えばパラメータの現在値を数値で表示するだけの画像オブジェクトなど、操作子画像を有さないものでもよい。
【００４９】
また、別の実施形態において、値調整用画像８０を閉じる指示は、値調整終了指示ボタンへのタッチにより行われてもよい。値調整終了指示ボタンは、一例として、値調整用画像８０内に表示された画像オブジェクトであってよい。
【００５０】
また、別の実施形態において、Ｅｄｉｔボタン７０は、パラメータの値を調整するための操作子を模擬した絵柄のボタン画像であってもよい。その場合、一例として、操作子を模擬した絵柄により、選択されたパラメータの現在の値を表してもよい。
【００５１】
また、別の実施形態において、前記ステップＳ３のＥｄｉｔボタン７０の表示処理、及び／又は、前記ステップＳ５の値調整用画像８０の表示処理において、ＣＰＵ２１は、その背景となる画面（例えばチャンネルオーバービュー画面）の表示色を変更してもよい。表示色の変更とは、例えば、背景となる画面の表示色を別の色（例えば灰色一色）に変更することや、背景となる画面の表示色を薄くすることなどである。また、別の実施形態において、前記ステップＳ３、及び／又は、前記ステップＳ５において、ＣＰＵ２１は、Ｅｄｉｔボタン７０及び／又は値表示用画像８０の背景となる画面（例えばチャンネルオーバービュー画面）を消してしまってもよい。その場合、パラメータ選択の解除（Ｅｄｉｔボタン７０及び／又は値表示用画像８０の表示終了）に伴い、ＣＰＵ２１は、前記画面（例えばチャンネルオーバービュー画面）を表示する。
【００５２】
また、更に、別の実施形態として、タッチパネル２３上で複数のパラメータを選択できてもよい。例えば、或るパラメータが選択された状態で（すなわち、Ｅｄｉｔボタン７０、又は、値調整用画像８０の表示中に）、別のパラメータ画像へのタッチが行われた場合、ＣＰＵ２１は、その別のパラメータ画像へのタッチを「第１操作」と判断して（ステップＳ１のＹｅｓ）、ステップＳ２〜Ｓ３により、該別のパラメータ画像に対応するパラメータに関するＥｄｉｔボタン７０を表示する。この場合、パラメータの選択解除指示（Ｅｄｉｔボタン７０、又は、値調整用画像８０の表示終了指示）は、例えば表示終了を指示するボタンにより行ったり、或いは、表示終了を指示する所定のタッチ（例えば、Ｅｄｉｔボタン７０、又は、値調整用画像８０を２回叩くことなど）により行ったりしてよい。
【００５３】
なお、図５のチャンネルオーバービュー画面において、値調整対象となるパラメータは、チャンネル毎のゲインに限らず、イコライザ６２、センドレベル６３、或いは、パン６４など、何れのパラメータであってもよい。
【００５４】
また、一実施形態において、Ｅｄｉｔボタン７０の表示形態、又は、値調整用画像８０の表示形態は、値調整対象となるパラメータの種類に応じて異なっていてもよい。例えば、値調整用画像８０の表示形態は、操作パネル上で、値調整対象のパラメータの値を調整するための物理的操作子を模擬した形態であってよい。例えば、パン６４の値が回転式の物理的ノブ操作子で調整されるとすると、パン６４の値調整用画像８０は、回転式に操作可能なノブ画像を有するものであってよい。
【００５５】
また、一実施形態において、タッチパネル２３上でパラメータの値調整を行う画面は、図５のチャンネルオーバービュー画面に限らず、例えば、選択された１チャンネルのパラメータ群を詳細に表示するセレクテッドチャンネル画面や、或るエフェクタのパラメータ群を詳細に表示するエフェクタ画面など、複数のパラメータ画像が表示される画面であれば、どのような画面であってもよい。
【００５６】
また、別の実施形態において、表示部１１は、タッチパネル２３の替わりに、画面への接触による操作入力機能を持たないディスプレイにより構成されてもよい。その場合、該ディスプレイ上でのパラメータの選択や、選択されたパラメータの値の調整は、たとえば、操作パネル上の物理的操作子やミキサ２０に接続された周辺機器（例えばマウス等の入力装置）など、操作者による第１操作、第２操作及び第３操作を検出できる操作入力機構であれば、どのようなものにより行われてもよい。
【００５７】
また、別の実施形態において、ミキサ２０は、例えばタッチパネル２３を備えたコンピュータ装置（いわゆるスレートデバイス）など、図３の信号処理（ミキシング処理）の動作を行うためのプログラムを実装したコンピュータ装置により構成されてもよい。
【００５８】
また、設定装置１０は、ミキサ２０に限らず、レコーダ、プロセッサなど、どのような音響機器に適用されてもよい。また、設定装置１０は、パーソナルコンピュータ上で実行されるＤＡＷ（デジタル・オーディオ・ワークステーション）ソフトウェアアプリケーションに適用され得る。また、設定装置１０は、音を処理するパラメータの設定に限らず、表示部に表示された画像オブジェクトを用いてパラメータの値を設定する装置であれば、どのような用途の装置にも適用され得る。
【００５９】
また、設定装置１０は、図１に示す各部１１、１２、１３、１４及び１５の動作を実行するように構成された専用ハードウェア装置（集積回路等）からなっていてもよい。また、設定装置１０は、図１に示す各部１１、１２、１３、１４及び１５の動作を行なうためのプログラムを実行する機能を持つプロセッサ装置により構成されてよい。
【００６０】
また、この発明は、表示部に表示されたパラメータ画像を用いてパラメータの値を調整する方法であって、前記表示部に表示された複数の前記パラメータ画像のうち何れか１つを選択する第１操作を検出する第１検出手順と、前記検出された第１操作に応じて、前記選択されたパラメータ画像に対応するパラメータの値の調整開始を指示するための調整開始画像を、前記表示部に表示する第１表示手順と、前記表示された調整開始画像に対する第２操作を検出する第２検出手順と、前記検出された第２操作に応じて、前記選択されたパラメータ画像に対応するパラメータの値を調整するための値調整用画像を前記表示部に表示する第２表示手順と、前記表示された値調整用画像に対する第３操作を検出する第３検出手順と、前記検出された第３操作に応じて、前記選択されたパラメータ画像に対応するパラメータの値を調整する値調整手順からなる方法の発明として、構成及び実施されてもよい。また、前記方法を構成する各ステップを、コンピュータに実行させるプログラムの発明として、構成及び実施されてもよい。前記ステップＳ１が第１検出手順、前記ステップＳ２，３が第１表示手順、前記ステップＳ４が第２検出手順、前記ステップＳ５が第２表示手順、前記ステップＳ６が第３検出手順、前記ステップＳ７が値調整手順に相当する。
【００６１】
以上、この発明の一実施形態を説明したが、この発明は上記各種の実施形態に限定されるものではなく、特許請求の範囲、及び明細書と図面に記載された技術的思想の範囲内において種々の変形が可能である。
【符号の説明】
【００６２】
１０  設定装置、１１  表示部、１２  検出部、１３  第１表示制御部、１４  第２表示制御部、１５  制値調整部、２０  ミキサ、２１  ＣＰＵ、２２  メモリ、２３  タッチパネル、２４  操作子群、２５  ミキシング部、３０  チャンネル、４０  バス、５０  チャンネルストリップ、６１〜６４  パラメータ画像、７０  Ｅｄｉｔボタン（値調整開始画像）、８０  値調整用画像
【図１】
2018098732.tif 000003
【図２】
2018098732.tif 000004
【図３】
2018098732.tif 000005
【図４】
2018098732.tif 000006
【図５】
2018098732.tif 000007
【図６】
2018098732.tif 000008
【図７】
2018098732.tif 000009
【図８】
2018098732.tif 000010
【図９】
2018098732.tif 000011
【図１０】
2018098732.tif 000012
【図１１】
2018098732.tif 000013